(57)【要約】【課題】  ティーアップしたゴルフボールを打球した時、周辺に飛び散ったティーを容易に探すことができることにより、ティーの紛失を減らし、ティーを探す時間、特に今後増加する高齢者にとってはその苦痛を減らすと共にプレーの進行を早めることができる。更に、粘着（接着）テープがティーの軸部を保護することによりティーの折損を減らし、紛失機会の減少とあいまってティーの繰り返し使用を可能とする。【解決手段】  ゴルフティーの頭部を支える軸部上部５の外周にリボン３を粘着テープ４で固定する。事前に粘着テープの中央部にリボンを接着させた粘着テープの右又は左端から軸部に巻き付けることによって固定する。【選択図】        図１
0003127925.tif 000002
【実用新案登録請求の範囲】
【請求項１】
ゴルフティーの頭部を支える軸部上部２の外周にリボン３を粘着テープで固定することを特徴とするゴルフ用ティー。
【請求項２】
リボンはサテンリボンなどの軽くて丈夫なもの、粘着テープは伸縮性をもった丈夫な不織布テープを特徴とするゴルフ用ティー。
【請求項３】
リボンと粘着テープを容易に交換できることを特徴とするゴルフ用ティー。
【考案の詳細な説明】
【技術分野】
【０００１】
本考案はティーアップしたゴルフボールを打球した時、飛んでしまったティーを容易に探すことができるゴルフ用ティーに関する。
【背景技術】
【０００２】
従来からゴルフ用ティーを容易に回収し、紛失を防止するためティーが遠に飛ばないようにするための抑止具を使う方法やティー本体と錘をひもで連結する方法が開示されている。
【特許文献１】特開２００４−３２１４３
【特許文献２】特開２００４−２０１７６７
【考案の開示】
【考案が解決しようとする課題】
【０００３】
ティーアップしたゴルフボールを打球した時、周辺に飛んだティーを容易に探すことができることにより、ティーの紛失を減らし、飛んでいったティーを探す時間、特に、今後増加する高齢者にとってはその苦痛を減少させると共にプレーの進行を早めることができる。また、粘着（接着）テープがティーの軸部を保護することによりティーの折損を減らし、更に、ティーの繰り返し使用を可能とする。
【課題を解決するための手段】
【０００４】
ゴルフティーの頭部を支える軸部上部２の外周にリボン３を粘着テープ４で固定する。事前に粘着テープの中央部にリボンを接着させた粘着テープの右又は左端から軸部に巻き付けることによって固定する。
【考案の効果】
【０００５】
従来の技術ではティーが遠くに飛ばないようにすることで探しやすく、かつ紛失を防ぐことを目的としている。
しかし本考案はクラブがティーに直接当って遠くに飛ばされても容易にその行方を知り、探すことができる。
その結果、ティーの紛失を減らし、飛び散ったティーを探す時間、特に、今後増加する高齢者にとってはその苦痛を減少させると共にプレーの進行を早めることができる。
粘着（接着）テープがティーの軸部を保護することによりティーの折損を減らし、その上リボンと粘着テープを交換することにより紛失機会の減少とあいまってティーの繰り返し使用をも可能とする。
更に、プレイヤーのカラーバイオリズムに合わせてリボン、テープ及びティー本体の色を変えることによって、メンタルなスポーツと言われるゴルフをより一層楽しむことが出来る。
【実施例】
【０００６】
市販されているゴルフ用樹脂製ティーを用いて、幅約１．８ｃｍ、長さ約１４ｃｍのサテンリボンを、幅約１．８ｃｍ、長さ約７ｃｍの粘着テープでティーの軸部を巻いて固定した。  事前に粘着テープの中央部にリボンを接着させた粘着テープの右又は左端から軸部に巻き付けることによって固定する。  年間７０ラウンド以上のティーショットで使用したがその効果を確認できた。
【図面の簡単な説明】
【０００７】
【図１】ゴルフ用ティーの外形を示す側面図である。
【図２】リボンと粘着テープを示す断面図である。
【図３】リボンと粘着テープを示す平面図である。
【符号の説明】
【０００８】
１  ボールをのせる頭部
２  上部軸部
３  リボン
４  粘着テープ
５  粘着部
６  粘着テープ右端部
７  粘着テープ左端部
【図１】
0003127925.tif 000003
【図２】
0003127925.tif 000004
【図３】
0003127925.tif 000005
【手続補正書】
【提出日】平成18年10月13日(2006.10.13)
【手続補正１】
【補正対象書類名】実用新案登録請求の範囲
【補正対象項目名】全文
【補正方法】変更
【補正の内容】
【実用新案登録請求の範囲】
【請求項１】
ゴルフティーの頭部を支える上部軸部（２）の外周にリボン（３）を粘着テープ（４）で固定することを特徴とするゴルフ用ティー。
【請求項２】
リボンはサテンリボンなどの軽くて丈夫なもの、粘着テープは伸縮性をもった丈夫な不織布テープを特徴とする請求項1に記載のゴルフ用ティー。
【請求項３】
リボンと粘着テープを容易に交換できることを特徴とする請求項1に記載のゴルフ用ティー。
【手続補正２】
【補正対象書類名】明細書
【補正対象項目名】全文
【補正方法】変更
【補正の内容】
【考案の詳細な説明】
【技術分野】
【０００１】  本考案はティーアップしたゴルフボールを打球した時、飛んでしまったティーを容易に探すことができるゴルフ用ティーに関する。
【背景技術】
【０００２】  従来からゴルフ用ティーを容易に回収し、紛失を防止するためティーが遠に飛ばないようにするための抑止具を使う方法やティー本体と錘をひもで連結する方法が開示されている。【特許文献１】特開２００４−３２１４３
【特許文献２】特開２００４−２０１７６７
【考案の開示】
【考案が解決しようとする課題】
【０００３】  ティーアップしたゴルフボールを打球した時、周辺に飛んだティーを容易に探すことができることにより、ティーの紛失を減らし、飛んでいったティーを探す時間、特に、今後増加する高齢者にとってはその苦痛を減少させると共にプレーの進行を早めることができる。また、粘着（接着）テープがティーの軸部を保護することによりティーの折損を減らし、更に、ティーの繰り返し使用を可能とする。
【課題を解決するための手段】
【０００４】  ゴルフティーの頭部を支える上部軸部（２）の外周にリボン（３）を粘着テープ（４）で固定する。事前に粘着テープの中央部にリボンを接着させた粘着テープの右又は左端から軸部に巻き付けることによって固定する。リボンはサテンリボンなどの軽くて丈夫なもの、粘着テープは伸縮性を持った丈夫な不織布テープを用いることが望ましい。
【考案の効果】
【０００５】  従来の技術ではティーが遠くに飛ばないようにすることで探しやすく、かつ紛失を防ぐことを目的としている。  しかし本考案はクラブがティーに直接当って遠くに飛ばされても容易にその行方を知り、探すことができる。  その結果、ティーの紛失を減らし、飛び散ったティーを探す時間、特に、今後増加する高齢者にとってはその苦痛を減少させると共にプレーの進行を早めることができる。  粘着（接着）テープがティーの軸部を保護することによりティーの折損を減らし、その上リボンと粘着テープを交換することにより紛失機会の減少とあいまってティーの繰り返し使用をも可能とする。  更に、プレイヤーのカラーバイオリズムに合わせてリボン、テープ及びティー本体の色を変えることによって、メンタルなスポーツと言われるゴルフをより一層楽しむことが出来る。
【実施例】
【０００６】  市販されているゴルフ用樹脂製ティーを用いて、幅約１．８ｃｍ、長さ約１４ｃｍのサテンリボンを、幅約１．８ｃｍ、長さ約７ｃｍの粘着テープでティーの軸部を巻いて固定した。  事前に粘着テープの中央部にリボンを接着させた粘着テープの右又は左端から軸部に巻き付けることによって固定する。  年間７０ラウンド以上のティーショットで使用したがその効果を確認できた。
【図面の簡単な説明】
【０００７】
【図１】ゴルフ用ティーの外形を示す側面図である。
【図２】ゴルフ用ティーの断面図である。
【符号の説明】
【０００８】    １  ボールをのせる頭部    ２  上部軸部    ３  リボン    ４  粘着テープ
【手続補正３】
【補正対象書類名】図面
【補正対象項目名】全図
【補正方法】変更
【補正の内容】
【図１】
0003127925.tif 000006
【図２】
0003127925.tif 000007